(57)【要約】【課題】電気光学パネルの初期化期間を短縮する。【解決手段】制御回路６００は、液晶パネルＡＡに画像を表示させることを指示する表示制御信号が供給されると、電源生成回路７００から液晶パネルＡＡに電源を供給させるよう制御する第１処理と、外部垂直同期信号Ｖs1よりも周波数が高い内部垂直同期信号Ｖs2に基づいて液晶パネルＡＡを駆動するよう制御するとともに液晶パネルＡＡの各画素電極６にビデオセンター電圧Ｄrefを印加するよう制御する第２処理とを行い、第２処理を複数の内部垂直同期信号Ｖs2について繰り返した後に、外部垂直同期信号Ｖs1に基づいて液晶パネルＡＡを駆動するよう制御する。【選択図】図３
2015036772.tif 000002
【特許請求の範囲】
【請求項１】
外部から供給される外部垂直同期信号に基づいて電気光学パネルの駆動を制御する駆動制御装置であって、
前記電気光学パネルに電源を供給する電源供給部と、
前記外部垂直同期信号よりも周波数が高い内部垂直同期信号を生成して出力する内部垂直同期信号供給部と、
制御部と、
を備え、
前記制御部は、前記電気光学パネルに画像を表示させることを指示する表示制御信号が供給されると、前記電源供給部から前記電気光学パネルに電源を供給させるよう制御する第１処理と、前記内部垂直同期信号に基づいて前記電気光学パネルを駆動するよう制御するとともに前記電気光学パネルの各画素電極に所定の電圧を印加するよう制御する第２処理とを行い、前記第２処理を複数の内部垂直同期信号について繰り返した後に、前記外部垂直同期信号に基づいて前記電気光学パネルを駆動するよう制御する、
ことを特徴する電気光学パネルの駆動制御装置。
【請求項２】
外部から供給された外部垂直同期信号に基づいて電気光学パネルの駆動を制御する駆動制御装置であって、
前記電気光学パネルに電源を供給する電源供給部と、
前記外部垂直同期信号よりも周波数が高い内部垂直同期信号を生成して出力する内部垂直同期信号供給部と、
制御部と、
を備え、
前記制御部は、前記外部垂直同期信号に基づいて前記駆動部が前記電気光学パネルを駆動するよう制御している場合に、前記電気光学パネルにおける画像の表示を停止することを指示する表示制御信号が供給されると、前記内部垂直同期信号に基づいて前記電気光学パネルを駆動するよう制御するとともに前記電気光学パネルの各画素電極に所定の電圧を印加するよう制御する第３処理を複数の内部垂直同期信号について繰り返した後に、前記電源供給部から前記電気光学パネルへの電源の供給を停止するよう制御する、
ことを特徴する電気光学パネルの駆動制御装置。
【請求項３】
前記内部垂直同期信号の周波数は、前記外部垂直同期信号の１０倍以上２０倍以下である、
ことを特徴とする請求項１又は２に記載の電気光学パネルの駆動制御装置。
【請求項４】
前記内部垂直同期信号の周波数は可変である、
ことを特徴とする請求項１乃至３のいずれか一項に記載の電気光学パネルの駆動制御装置。
【請求項５】
前記所定の電圧は、前記各画素電極とその対向電極との電位差がゼロとなる電圧である、
ことを特徴とする請求項１乃至４のいずれか一項に記載の電気光学パネルの駆動制御装置。
【請求項６】
前記電気光学パネルにはプリチャージ回路が接続されており、
前記制御部は、前記第２処理において、前記プリチャージ回路から前記電気光学パネルの全ての画素電極に対して、前記所定の電圧を同時に印加する、
ことを特徴とする請求項１乃至５のいずれか一項に記載の電気光学パネルの駆動制御装置。
【請求項７】
電気光学パネルと、
請求項１乃至請求項６のいずれか一項に記載の電気光学パネルの駆動制御装置と、
を備えた電気光学装置。
【請求項８】
電子ビューファインダーを備えた撮像装置であって、
前記電子ビューファインダーの内部に設けられ、当該撮像装置による撮像画像を表示する電気光学パネルと、
前記電気光学パネルの駆動に用いられる、請求項１乃至請求項６のいずれか一項に記載の電気光学パネルの駆動制御装置と、
前記撮像画像を示すデータに同期させて、前記外部垂直同期信号を前記駆動制御装置に供給する外部垂直同期信号供給部と、
前記電子ビューファインダーの使用状態又は非使用状態を検知するセンサと、
を備え、
前記表示制御信号は前記センサの検知信号であり、前記検知信号が前記電子ビューファインダーの使用を検知したことを示す場合には前記電気光学パネルに画像を表示させることを指示し、前記検知信号が前記電子ビューファインダーの非使用を検知したことを示す場合には前記電気光学パネルにおける画像の表示を停止することを指示する、
ことを特徴とする撮像装置。
【請求項９】
外部から供給される外部垂直同期信号に基づいて電気光学パネルの駆動を制御する、電気光学パネルの駆動制御方法であって、
前記電気光学パネル前記電気光学パネルに画像を表示させることを指示する表示制御信号が供給されると、前記電気光学パネルに電源を供給させるよう制御する第１処理と、前記外部垂直同期信号よりも周波数が高い内部垂直同期信号に基づいて前記電気光学パネルを駆動するよう制御するとともに前記電気光学パネルの各画素電極に所定の電圧を印加するよう制御する第２処理とを行い、前記第２処理を複数の内部垂直同期信号について繰り返した後に、前記外部垂直同期信号に基づいて前記電気光学パネルを駆動するよう制御する、
ことを特徴する電気光学パネルの駆動制御方法。
【請求項１０】
外部から供給される外部垂直同期信号に基づいて電気光学パネルの駆動を制御する、電気光学パネルの駆動制御方法であって、
前記外部垂直同期信号に基づいて前記電気光学パネルを駆動するよう制御している場合に、前記電気光学パネルにおける画像の表示を停止することを指示する表示制御信号が供給されると、前記外部垂直同期信号よりも周波数が高い内部垂直同期信号に基づいて前記電気光学パネルを駆動するよう制御するとともに前記電気光学パネルの各画素電極に所定の電圧を印加するよう制御する第３処理を複数の内部垂直同期信号について繰り返した後に、前記電気光学パネルへの電源の供給を停止するよう制御する、
ことを特徴する電気光学パネルの駆動制御方法。
【発明の詳細な説明】
【技術分野】
【０００１】
本発明は、電気光学パネルの駆動を制御する駆動制御装置、電気光学装置、撮像装置、および電気光学パネルの駆動制御方法に関する。
【背景技術】
【０００２】
撮像素子を備えた撮像装置は、記録の対象となる画像を利用者が確認できるように表示装置を備えている（例えば、特許文献１参照）。この撮像装置は、装置全体を制御するＣＰＵの駆動周波数（クロック周波数）を、要求される動作に応じて設定する。特に、電源投入時に駆動周波数を上げて、メモリなどを高速で初期化することが可能である。
そのような撮像装置として、覗き込み型の電子ビューファインダー（ＥＶＦ: Electronic View Finder）を備えるものがある。ＥＶＦは、内部に液晶パネル（電気光学パネルの一例）を備えており、この液晶パネルには、カメラからの垂直同期信号に基づいて画像が表示される。
【先行技術文献】
【特許文献】
【０００３】
【特許文献１】特開２００６−２７９３６０号公報
【発明の概要】
【発明が解決しようとする課題】
【０００４】
ところで、表示装置に液晶パネルを用いる場合、その焼き付きを防止するために、カメラの撮像画像を表示する前に液晶に所定電圧（例えば、ゼロ）を印加する初期化処理を複数のフィールドに亘って実行するのが一般的である。
しかしながら、液晶パネルの初期化処理中は、表示すべき画像と無関係な所定電圧を印加するので、電源を投入しても初期化処理が終了するまで画像が表示できず、電源投入から画像表示までにタイムラグがあるといった問題があった。また、特許文献１に記載の撮像装置は、電源投入直後にＣＰＵの駆動周波数を上げるが、液晶パネルの垂直同期信号の周波数をＣＰＵの駆動周波数に連動して上げる点は開示されておらず、同様の問題があった。
【０００５】
本発明は、このような事情に鑑みてなされたものであり、電気光学パネルの初期化に要する時間を短縮することが可能な電気光学パネルの駆動制御装置等を提供することを解決課題とする。
【課題を解決するための手段】
【０００６】
上述した課題を解決するために、本発明に係る電気光学パネルの駆動制御装置の一態様は、外部から供給される外部垂直同期信号に基づいて電気光学パネルの駆動を制御するものであって、前記電気光学パネルに電源を供給する電源供給部と、前記外部垂直同期信号よりも周波数が高い内部垂直同期信号を生成して出力する内部垂直同期信号供給部と、制御部と、を備え、前記制御部は、前記電気光学パネルに画像を表示させることを指示する表示制御信号が供給されると、前記電源供給部から前記電気光学パネルに電源を供給させるよう制御する第１処理と、前記内部垂直同期信号に基づいて前記電気光学パネルを駆動するよう制御するとともに前記電気光学パネルの各画素電極に所定の電圧を印加するよう制御する第２処理とを行い、前記第２処理を複数の内部垂直同期信号について繰り返した後に、前記外部垂直同期信号に基づいて前記電気光学パネルを駆動するよう制御する。
本発明の一態様によれば、電気光学パネルに画像を表示させることを指示する表示制御信号が供給されると、外部垂直同期信号よりも周波数が高い内部垂直同期信号に基づいて電気光学パネルを駆動するように制御するため、外部垂直同期信号に従って電気光学パネルを駆動する場合と比較して、水平走査時間が短縮される。すなわち、外部垂直同期信号の代わりに内部垂直同期信号を用いることで、電気光学パネルにおける画像の表示前に要する時間、すなわち、電気光学パネルの初期化に要する時間が短縮される。
【０００７】
また、本発明に係る電気光学パネルの駆動制御装置の一態様は、外部から供給された外部垂直同期信号に基づいて電気光学パネルの駆動を制御するものであって、前記電気光学パネルに電源を供給する電源供給部と、前記外部垂直同期信号よりも周波数が高い内部垂直同期信号を生成して出力する内部垂直同期信号供給部と、制御部と、を備え、前記制御部は、前記外部垂直同期信号に基づいて前記駆動部が前記電気光学パネルを駆動するよう制御している場合に、前記電気光学パネルにおける画像の表示を終了することを指示する表示制御信号が供給されると、前記内部垂直同期信号に基づいて前記電気光学パネルを駆動するよう制御するとともに前記電気光学パネルの各画素電極に所定の電圧を印加するよう制御する第３処理を複数の内部垂直同期信号について繰り返した後に、前記電源供給部から前記電気光学パネルへの電源の供給を停止するよう制御する。
本発明の一態様によれば、前記電気光学パネルにおける画像の表示を停止することを指示する表示制御信号が供給されると、外部垂直同期信号よりも周波数が高い内部垂直同期信号に基づいて電気光学パネルを駆動するように制御するため、外部垂直同期信号に従って電気光学パネルを駆動する場合と比較して、一水平走査時間が短縮され、ひいては、電気光学パネル全体としての水平走査期間が短縮される。すなわち、内部垂直同期信号を用いることで、電気光学パネルにおける画像の表示を終了して電源の供給を停止するまでに要する時間、すなわち、電気光学パネルの表示終了後の初期化処理に要する時間が短縮される。
【０００８】
上述した駆動制御装置の一態様において、前記内部垂直同期信号の周波数は、前記外部垂直同期信号の１０倍以上２０倍以下であることが好ましい。本態様によれば、内部垂直同期信号の周波数を外部垂直同期信号の周波数よりも所定数倍以上所定数倍以下とすることによって、所定の電圧の確実な書き込みに必要な時間を確保しつつ、電源投入後に電気光学パネルに画像が表示されるまでの時間又は画像の表示終了後に電源の供給が停止するまでの時間を短縮することができる。
また、上述した駆動制御装置の一態様において、前記内部垂直同期信号の周波数は可変であることが好ましい。「可変である」とは、例えば、電源投入後に内部垂直同期信号の周波数を外部垂直同期信号の周波数に近づけるように単調減少させること、逆に、画像の表示が終了した後に、内部垂直同期信号の周波数を外部垂直同期信号の周波数に近いものから単調増加させること、あるいは、内部垂直同期信号の周波数を規則にしたがって増減させること等を含む。本態様によれば、初期化期間において１フィールドごとの所定の電圧の書き込み期間を相違させるので、相対的に長い水平走査期間においては確実に所定の電圧が印加される一方で、短い走査期間を設けることで初期化処理に要する時間が全体として短縮される。
【０００９】
さらに、上述した駆動制御装置の一態様において、前記所定の電圧は、前記各画素電極とその対向電極との電位差がゼロとなる電圧であることが好ましい。本態様によれば、例えば、電気光学パネルが液晶パネルの場合においては、液晶分子に印加される電圧がゼロとなるので、液晶パネルの液晶分子の配向状態を初期化するとができ、焼き付きを防止することができる。
好適な態様において、前記電気光学パネルにはプリチャージ回路が接続されており、前記制御部は、前記第２処理において、前記内部垂直同期信号に基づいて、前記プリチャージ回路から前記電気光学パネルの各画素電極に対して前記所定の電圧を印加することを特徴とする。本態様によれば、プリチャージ回路を電気光学パネルの初期化処理に用いるので、一括して電圧を印加することが可能となる。
【００１０】
また、本発明は、電気光学パネルの駆動制御装置の一態様のみならず、電気光学パネルと上記いずれかの態様に係る電気光学パネルの駆動制御装置とを備えた電子光学装置としても概念することができる。
【００１１】
また、本発明に係る電気光学パネルの駆動制御方法の一態様は、外部から供給される外部垂直同期信号に基づいて電気光学パネルの駆動を制御する方法であって、前記電気光学パネル前記電気光学パネルに画像を表示させることを指示する表示制御信号が供給されると、前記電気光学パネルに電源を供給させるよう制御する第１処理と、前記外部垂直同期信号よりも周波数が高い内部垂直同期信号に基づいて前記電気光学パネルを駆動するよう制御するとともに前記電気光学パネルの各画素電極に所定の電圧を印加するよう制御する第２処理とを行い、前記第２処理を複数の内部垂直同期信号について繰り返した後に、前記外部垂直同期信号に基づいて前記電気光学パネルを駆動するよう制御することを特徴とする。
【００１２】
また、本発明に係る電気光学パネルの駆動制御方法の一態様は、外部から供給される外部垂直同期信号に基づいて電気光学パネルの駆動を制御する方法であって、前記外部垂直同期信号に基づいて前記電気光学パネルを駆動するよう制御している場合に、前記電気光学パネルにおける画像の表示を停止することを指示する表示制御信号が供給されると、前記外部垂直同期信号よりも周波数が高い内部垂直同期信号に基づいて前記電気光学パネルを駆動するよう制御するとともに前記電気光学パネルの各画素電極に所定の電圧を印加するよう制御する第３処理を複数の内部垂直同期信号について繰り返した後に、前記電気光学パネルへの電源の供給を停止するよう制御することを特徴する。
【００１３】
さらに、本発明に係る撮像装置の一態様は、電子ビューファインダーを備え、前記電子ビューファインダーの内部に設けられ、当該撮像装置による撮像画像を表示する電気光学パネルと、前記電気光学パネルの駆動に用いられる、上記いずれかの態様に係る、電気光学パネルの駆動制御装置と、前記撮像画像のデータに同期させて、前記外部垂直同期信号を前記駆動制御装置に供給する外部垂直同期信号供給部と、前記電子ビューファインダーの使用状態又は非使用状態を検知するセンサと、を備え、前記表示制御信号は前記センサの検知信号であり、前記検知信号が前記電子ビューファインダーの使用を検知したことを示す場合には前記電気光学パネルに画像を表示させることを指示し、前記検知信号が前記電子ビューファインダーの非使用を検知したことを示す場合には前記電気光学パネルにおける画像の表示を終了することを指示する、ことを特徴とする。
この撮像装置の一態様によれば、電子ビューファインダーが使用されると、これを検知して第２処理を実行するので、電子ビューファインダーに画像が表示されるまでの時間を短縮することができる。
【図面の簡単な説明】
【００１４】
【図１】本発明の第１実施形態に係るデジタルカメラ１を背面側から見た外観斜視図である。
【図２】同デジタルカメラ１の全体構成の一例を示すブロック図である。
【図３】電子ビューファインダー２０の構成の一例を示すブロック図である。
【図４】液晶パネルＡＡにおける画像表示領域Ａの構成の一例を示す回路図である。
【図５】走査線駆動回路１００およびデータ線駆動回路２００の動作の一例を示すタイミングチャートである。
【図６】本実施形態に係る垂直同期信号の供給タイミングを説明するためのタイミングチャートである。
【図７】本実施形態に係る垂直同期信号の供給タイミングを説明するための別のタイミングチャートである。
【図８】本発明の第２実施形態に係る電子ビューファインダー２０Ａの構成の一例を示すブロック図である。
【図９】本実施形態に係る垂直同期信号の供給タイミングを説明するためのタイミングチャートである。
【発明を実施するための形態】
【００１５】
＜第１実施形態＞
図１は、本発明の第１実施形態に係るデジタルカメラ１（撮像装置）を背面側から見た外観斜視図であり、図２は同デジタルカメラ１の全体構成の一例を示すブロック図である。
図１及び図２に示されるように、デジタルカメラ１は、レンズ１１、撮像素子１２、処理回路１３、表示部１６、記憶部１７、操作部１８、及び各部を制御するＣＰＵ１５を備える。撮像素子１２はレンズ１１が捉えた被写体から光学像を受光して電気信号に変換するものであり、処理回路１３は撮像素子１２から出力された電気信号をデジタル画像信号に変換するものである。デジタル画像は、ＣＰＵ１５の制御のもと、表示部１６や記憶部１７、図示せぬメモリカード等に送られて処理される。
【００１６】
表示部１６は、デジタルカメラ１の背面に配設されるＬＣＤ（Liquid Crystal Display）表示部であり、撮影時に被写体の観察画像（撮像画像）を表示したり、メモリカードに記録されている撮影画像を再生表示するのに用いられる。
記憶部１７の不揮発性のメモリ（例えば、フラッシュメモリ）と揮発性のメモリ（例えば、ＲＡＭ：Random Access Memory）とを有する。前者にはカメラに各種の動作をさせるためのカメラプログラム等が記憶されており、後者はＣＰＵ１５のワークエリアとして使用される。
操作部１８は、レリーズボタン１８ａ、電源ボタン１８ｂ、カーソルボタン/決定ボタン１８ｃ、及びその他の操作ボタン（不図示）を有し、ＣＰＵ１５は、各種ボタンによる指示に基づいて、電源のオン／オフ制御、表示部１６における表示画像の切り替え等の各種制御を行う。
【００１７】
デジタルカメラ１の背面には、撮影者が覗き込むための接眼部２０ａが設けられており、接眼部２０ａに対応する本体の内部には、センサ１４と電子ビューファインダー（ＥＶＦ: Electronic View Finder）２０とが設けられている。ＥＶＦ２０は、ＥＶＦ用画像表示部としての液晶パネルＡＡと、液晶パネルＡＡを駆動する駆動制御装置Ｄとを備える。
センサ１４は、例えば、赤外線センサであり、ＣＰＵ１５は、センサ１４により撮影者が接眼部２０ａを覗き込んだことを検知すると、ＥＶＦ２０の使用状態を検知するものである。ＣＰＵ１５は、センサ１４がＥＶＦ２０の使用状態を検知すると表示制御信号ＣdiをＨレベルに切り替える。また、センサ１４は、撮影者による覗き込みを所定時間にわたって検知しない場合には、ＥＶＦ２０の不使用状態を検知する。ＣＰＵ１５は、センサ１４がＥＶＦ２０の不使用状態を検知すると表示制御信号ＣdiをＬレベルに切り替える。
【００１８】
液晶パネルＡＡは、スイッチング素子として薄膜トランジスタ（Thin Film Transistor：以下、「ＴＦＴ」と称する）を形成した素子基板と対向基板とを互いに電極形成面を対向させて、かつ、一定の間隙を保って貼付し、この間隙に液晶が挟持されている。この液晶パネルＡＡは透過型であるが、半透過型であってもよい。図３にＥＶＦ２０の詳細な構成例を示す。
同図に示されるように、液晶パネルＡＡは、その素子基板上に画像表示領域Ａ、走査線駆動回路１００、データ線駆動回路２００を備える。画像表示領域Ａには、複数の画素回路Ｐ１がマトリクス状に形成されており、画素回路Ｐ１ごとに透過率を制御することができる。図示せぬバックライトからの光は、画素回路Ｐ１を介して射出される。これによって、光変調による階調表示が可能となる。
【００１９】
画像表示領域Ａには、図４に示されるように、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極（後述する）と、これら両電極間に挟持された液晶とによって構成される。この結果、走査線２とデータ線３との各交差に対応して、画素はマトリクス状に配列されることとなる。
また、ＴＦＴ５０のゲートが接続される各走査線２には、走査信号Ｙ１、Ｙ２、…、Ｙｍが、パルス的に線順次で印加される。このため、ある走査線２に走査信号が供給されると、当該走査線に接続されるＴＦＴ５０がオンするので、データ線３から所定のタイミングで供給されるデータ信号Ｘ１、Ｘ２、…、Ｘｎは、対応する画素に順番に書き込まれた後、所定の期間保持されることとなる。
【００２０】
画素回路Ｐ１では、各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、液晶パネルＡＡ全体では、画像信号に応じたコントラストを持つ光が各画素毎に出射される。このため、所定の表示が可能となる。
また、保持された画像信号がリークするのを防ぐために、蓄積容量５１が、画素電極６と対向電極との間に形成される液晶容量と並列に付加される。例えば、画素電極６の電圧は、ソース電圧が印加された時間よりも３桁も長い時間だけ蓄積容量５１により保持されるので、保持特性が改善される結果、高コントラスト比が実現される。
【００２１】
次に、駆動制御装置Ｄについて説明する。図３に示されるように、駆動制御装置Ｄには、選択回路ＳＷ１，ＳＷ２，ＳＷ３、内部同期信号生成回路５００、電源生成回路７００、タイミング制御回路８００、Ｄ／Ａ変換器９００、及び各回路を制御する制御回路６００が配設される。駆動制御装置Ｄには、当該駆動制御装置Ｄの外部（すなわち、ＣＰＵ１５）から、デジタル画像信号Ｄin、デジタル画像信号に同期した外部垂直同期信号Ｖs1、及び外部水平同期信号Ｈs1が入力されて、それぞれ選択回路ＳＷ１，ＳＷ２，ＳＷ３に供給される。また、ＣＰＵ１５からの表示制御信号Ｃdiが制御回路６００に供給される。
【００２２】
電源生成回路７００は、表示制御信号ＣdiがＨレベルになると、制御回路６００の制御のもと、液晶パネルＡＡに電源を供給する。逆に表示制御信号ＣdiがＬレベルになると、制御回路６００の制御のもと、液晶パネルＡＡへの電源の供給を停止する。上述したように、ＣＰＵ１５は、センサ１４によりＥＶＦ２０の使用状態を検知すると、表示制御信号ＣdiをＨレベルに切り替える。つまり、制御回路６００は、液晶パネルＡＡに画像を表示させることを指示する表示制御信号Ｃdiが供給されると、電源生成回路７００から液晶パネルＡＡに電源を供給させるよう制御する第１処理を行う。
【００２３】
内部同期信号生成回路５００は、外部垂直同期信号Ｖs1よりも周波数が高い内部垂直同期信号Ｖs2を生成して選択回路ＳＷ２に供給するとともに、外部水平同期信号Ｈs1よりも周波数が高い内部水平同期信号Ｈs2を生成して選択回路ＳＷ２に供給する。
【００２４】
ＥＶＦ２０は、低消費電力化のため、撮影者が接眼部２０ａを覗き込んだときだけ（すなわち、センサ１４により使用状態を検知したときだけ）液晶パネルＡＡに電源が供給されて画像を表示するよう制御される。しかし、液晶パネルＡＡは、カメラ側から供給されたデジタル画像信号Ｄinに対応する画像を電源供給後直ちに表示するわけではなく、画像の表示前に画像表示領域Ａの各液晶分子の配向状態を初期化する処理が行われる。この初期化処理では表示すべき撮像画像と無関係な所定電圧（ビデオセンター電圧Ｄref）が各画素電極６に印加される。ビデオセンター電圧Ｄrefを印加することで液晶分子の配向状態を液晶に電圧がかかっていない初期状態（画素電極と対向電極との電位差がゼロ）に回復する目的である。
【００２５】
本実施形態では、この初期化処理に際して、カメラ側のＣＰＵ１５から供給される外部垂直同期信号Ｖs1の代わりに液晶パネルＡＡの内部で生成される内部垂直同期信号Ｖs2に基づいてビデオセンター電圧Ｄrefを印加する。上述したように、内部垂直同期信号Ｖs2は外部垂直同期信号Ｖs1よりも周波数が高く設定されているため、画面全体を走査する垂直走査期間が短縮される結果、外部垂直同期信号Ｖs1に基づいてタイミング制御を行う場合と比較して、初期化処理に要する時間を短縮することができる。よって、本実施形態に係る駆動制御装置Ｄによれば、液晶パネルＡＡに電源が供給された後、撮像画像の表示が開始されるまでの時間を短縮することが可能となる。
【００２６】
内部垂直同期信号Ｖs2の周波数は、好適には、外部垂直同期信号Ｖs1の周波数の１０倍以上２０倍以下に設定される。内部垂直同期信号Ｖs2の周波数を外部垂直同期信号Ｖs1の周波数よりも所定数倍以上所定数倍以下とすることによって、ビデオセンター電圧Ｄrefの書き込みに必要な時間を確保しつつ、電源投入後に液晶パネルに撮像画像が表示されるまでの時間又は撮像画像の表示終了後に電源の供給が停止するまでの時間を目に見えて短縮することができる。
【００２７】
選択回路ＳＷ１にはカメラ側のＣＰＵ１５から入力されたデジタル画像信号Ｄinのほか、ビデオセンター電圧Ｄrefが供給される。ビデオセンター電圧Ｄrefは画素電極６とその対向電極との電位差がゼロとなる電圧であり、液晶パネルＡＡの初期化期間においてデータ線駆動回路２００に供給されるものである。すなわち、制御回路６００は、初期化期間においては、選択回路ＳＷ１を切り替えて、選択回路ＳＷ１からビデオセンター電圧Ｄrefを出力させるように制御する。一方、制御回路６００は、画像表示期間においては、選択回路ＳＷ１を切り替えて、選択回路ＳＷ１からデジタル画像信号Ｄinを出力させるように制御する。Ｄ／Ａ変換器９００は、供給されたデジタル画像信号Ｄin又はビデオセンター電圧Ｄrefをアナログ信号に変換し、画像信号ＶＩＤとしてデータ線駆動回路２００に供給する。
【００２８】
タイミング制御回路８００は、初期化期間においては、内部同期信号生成回路５００から供給される内部垂直同期信号Ｖs2及び内部水平同期信号Ｈs2に基づいて、Ｘ転送開始パルスＤＸおよびＸクロック信号ＸＣＫを生成してデータ線駆動回路２００に供給するとともに、Ｙ転送開始パルスＤＹおよびＹクロック信号ＹＣＫを生成して走査線駆動回路１００に供給する。この場合において、制御回路６００は、選択回路ＳＷ２，ＳＷ３を切り替えて、パネル出力用信号Ｖs3として選択回路ＳＷ２から内部垂直同期信号Ｖs2が出力されるよう制御し、パネル出力用信号Ｈs3として選択回路ＳＷ３から内部水平同期信号Ｈs2が出力されるよう制御する。
一方、タイミング制御回路８００は、画像表示期間においては、外部垂直同期信号Ｖs1及び外部水平同期信号Ｈs1に基づいて、Ｘ転送開始パルスＤＸおよびＸクロック信号ＸＣＫを生成してデータ線駆動回路２００に供給するとともに、Ｙ転送開始パルスＤＹおよびＹクロック信号ＹＣＫを生成して走査線駆動回路１００に供給する。この場合において、制御回路６００は、選択回路ＳＷ２，ＳＷ３を切り替えて、選択回路ＳＷ２から外部垂直同期信号Ｖs1が出力されるよう制御し、選択回路ＳＷ３から外部水平同期信号Ｈs1が出力されるよう制御する。
【００２９】
図５に、走査線駆動回路１００とデータ線駆動回路２００のタイミングチャートを示す。走査線駆動回路１００は、１フレーム（１Ｆ）周期のＹ転送開始パルスＤＹを、Ｙクロック信号ＹＣＫに従って順次シフトして走査信号Ｙ１、Ｙ２、…Ｙｍを生成する。走査信号Ｙ１〜Ｙｍは各水平走査期間（１Ｈ）において順次アクティブとなる。データ線駆動回路２００は、水平走査周期のＸ転送開始パルスＤＸをＸクロック信号ＸＣＫに従って転送して、サンプリング信号Ｓ１、Ｓ２、…Ｓｎを内部的に生成する。そして、データ線駆動回路２００は、画像信号ＶＩＤをサンプリング信号Ｓ１、Ｓ２、…Ｓｎを用いてサンプリングしてデータ信号Ｘ１、Ｘ２、…Ｘｎを生成する。
【００３０】
図６及び図７は、本実施形態に係る垂直同期信号の供給タイミングを説明するためのタイミングチャートである。図６は、表示制御信号ＣdiがＬレベルからＨレベルに切り替わった場合（以下、説明の便宜上、「オンシーケンス」という場合がある）のタイミングチャートであり、図７は、表示制御信号ＣdiがＨレベルからＬレベルに切り替わった場合（以下、説明の便宜上、「オフシーケンス」という場合がある）のタイミングチャートである。上述したように、表示制御信号Ｃdiは、撮影者がＥＶＦ２０の接眼部２０ａを覗き込んだことがセンサ１４によって検知されるとＬレベルからＨレベルに切り替わって液晶パネルＡＡにおける画像の表示の開始を指示する一方、表示制御信号ＣdiがＨレベルにある期間において、センサ１４が覗き込み動作を所定の時間にわたって検知しない場合にはＨレベルからＬレベルに切り替わって液晶パネルＡＡにおける画像の表示を終了させることを指示する。つまり、前者の場合には、表示制御信号Ｃdiは液晶パネルＡＡに画像を表示させることを指示する信号であり、後者の場合には、表示制御信号Ｃdiは液晶パネルＡＡにおける画像の表示を終了することを指示する信号である。
【００３１】
まず、図６を参照して、オンシーケンスにおける垂直同期信号の供給タイミングについて説明する。図示のように、表示制御信号ＣdiがＬレベルからＨレベルに切り替わり（t1）、液晶パネルＡＡの電源立上げ期間が終了すると（t2）、内部同期信号生成回路５００において内部垂直同期信号Ｖs2が生成され、選択回路ＳＷ２を介してパネル出力用信号Ｖs3としてタイミング制御回路８００に供給される。そして、初期化期間（t2〜t3）においては、複数の内部垂直同期信号Ｖs2に基づいて画像表示領域Ａ（フィールド）への所定の電圧の書き込みが複数回行われる。初期化期間終了後、選択回路ＳＷ２に最初に入力された外部垂直同期信号Ｖs1がパネル出力用信号Ｖs3としてタイミング制御回路８００に供給されて、画像表示期間が開始する（t4）。
【００３２】
つまり、制御回路６００は、表示制御信号ＣdiがＬレベルからＨレベルに切り替わると（t1）、以下の第１及び第２処理を行う。第１処理は、電源生成回路７００から液晶パネルＡＡに対して電源を供給させるように制御する処理である。次に、液晶パネルＡＡの電源が立ち上がると（t2）、制御回路６００は、内部同期信号生成回路５００から出力される内部垂直同期信号Ｖs2に基づいて液晶パネルＡＡを駆動するよう制御するとともに液晶パネルＡＡの各画素電極６にビデオセンター電圧Ｄrefを印加するよう制御する第２処理を行う。制御回路６００は、内部垂直同期信号Ｖs2が出力される度に第２処理を行う。すなわち、制御回路６００は、第２処理を複数の内部垂直同期信号Ｖs2について繰り返し行う。そして、その後、外部垂直同期信号Ｖs1に基づいて画像表示処理を行う（t4）。
【００３３】
初期化期間における内部垂直同期信号Ｖs2の信号数は任意であるが、十分な初期化処理が実現可能な数に設定されることが好ましい。内部垂直同期信号Ｖs2は外部垂直同期信号Ｖs1よりも周波数が高く設定されているために、画素電極当たりの電圧の書き込み時間が短く、書き込みが不十分となるおそれがある。このため、複数の内部垂直同期信号Ｖs2を生成し、短時間の書き込みであっても複数回繰り返して行うことにより、結果的に十分な初期化処理が実現されるように制御するようにしている。
【００３４】
初期化期間においては、内部同期信号生成回路５００から出力された内部垂直同期信号Ｖs2が選択回路ＳＷ２を介してパネル出力用信号Ｖs3としてタイミング制御回路８００に与えられるよう制御されるとともに、内部同期信号生成回路５００から出力された内部水平同期信号Ｈs2が選択回路ＳＷ３を介してパネル出力用信号Ｈs3としてタイミング制御回路８００に与えられるよう制御され、Ｄ／Ａ変換器９００には、ビデオセンター電圧Ｄrefが選択回路ＳＷ１を介して与えられるよう制御される。タイミング制御回路８００は、内部垂直同期信号Ｖs2及び内部水平同期信号Ｈs2に基づいて、Ｘ転送開始パルスＤＸおよびＸクロック信号ＸＣＫを生成してデータ線駆動回路２００に供給するとともに、Ｙ転送開始パルスＤＹおよびＹクロック信号ＹＣＫを生成して走査線駆動回路１００に供給する。Ｄ／Ａ変換器９００は、供給されたビデオセンター電圧Ｄrefをアナログ信号に変換し、画像信号ＶＩＤとしてデータ線駆動回路２００に供給する。ビデオセンター電圧Ｄrefは、上述したＸ転送開始パルスＤＸやＸクロック信号ＸＣＫ、Ｙ転送開始パルスＤＹ、Ｙクロック信号ＹＣＫに規定されるタイミングでデータ線駆動回路２００から各画素電極６に順次印加される。
【００３５】
画像表示期間においては、内部垂直同期信号Ｖs2は生成されず、外部垂直同期信号Ｖs1が選択回路ＳＷ２を介してパネル出力用信号Ｖs3としてタイミング制御回路８００に与えられるよう制御されるとともに、外部水平同期信号Ｈs1が選択回路ＳＷ３を介してパネル出力用信号Ｈs3としてタイミング制御回路８００に与えられるよう制御され、デジタル画像信号Ｄinが選択回路ＳＷ１を介してＤ／Ａ変換器９００に与えられるよう制御される。これにより、カメラ側のＣＰＵ１５から与えられた画像（撮像画像）がＥＶＦ２０の液晶パネルＡＡに表示される。
このように、オンシーケンスにおいては、外部垂直同期信号Ｖs1の代わりに内部垂直同期信号Ｖs2を用いて液晶パネルＡＡの初期化処理が行われるので、初期化に要する期間が短縮される。その結果、電源が立ち上がった後に、画像が表示されるまでの期間が短縮される。
【００３６】
次に、図７を参照して、オフシーケンスにおける垂直同期信号の供給タイミングについて説明する。図示のように、表示制御信号ＣdiがＨレベルからＬレベルに切り替わると（t5）、画像表示期間が終了して初期化期間が開始される。初期化期間では、上述したオンシーケンスの場合と同様に、内部垂直同期信号Ｖs2が生成されて、選択回路ＳＷ２を介してパネル出力用信号Ｖs3としてタイミング制御回路８００に供給される。複数の内部垂直同期信号Ｖs2に基づく画像表示領域Ａ全体への書き込みが複数回行われ、初期化期間が終了すると（t6）、液晶パネルＡＡへの電源の供給が停止されて、電源が立ち下がる(t7)。
つまり、制御回路６００は、表示制御信号ＣdiがＨレベルからＬレベルに切り替わると（t5）、内部同期信号生成回路５００から供給された内部垂直同期信号Ｖs2に基づいて液晶パネルＡＡを駆動するよう制御するとともに液晶パネルＡＡの各画素電極６にビデオセンター電圧Ｄrefを印加するよう制御する第３処理を行う。制御回路６００は、内部垂直同期信号Ｖs2が出力される度に第３処理を行う。すなわち、制御回路６００は、第３処理を複数の内部垂直同期信号Ｖs2について繰り返し行う。そして、初期化期間が終了すると(t6)、電源生成回路７００から液晶パネルＡＡへの電源の供給を停止するよう制御する。
このように、オフシーケンスにおいても、外部垂直同期信号Ｖs1の代わりに内部垂直同期信号Ｖs2を用いて液晶パネルＡＡの初期化処理が行われるので、初期化に要する期間が短縮される。その結果、画像の表示が終了した後に、液晶パネルＡＡへの電源が立ち下がるまでの時間を短縮することができる。
【００３７】
以上説明したように、本実施形態によれば、ＥＶＦ２０の使用開始の検知に応じて、液晶パネルＡＡにおける素早い画像表示の開始が可能となり、ユーザの利便性が向上する。また、ＥＶＦ２０の不使用状態の検知に応じて、液晶パネルＡＡへの電源の供給を素早く停止することが可能となるので、消費電力を抑制することができ、バッテリ駆動時間の延長に寄与する。
【００３８】
＜第２実施形態＞
図８は、本発明の第２実施形態に係る電子ビューファインダー（ＥＶＦ）２０Ａの構成の一例を示すブロック図である。
上述した第１実施形態では各画素回路に対してデータ線駆動回路２００を介してビデオセンター電圧Ｄrefを印加していたが、本実施形態は、データ線駆動回路２００ではなくプリチャージ回路３００を介してプリチャージ電圧Ｖpreが印加される点で、第１実施形態と異なる。
図８に示されるように、ＥＶＦ２０Ａはプリチャージ回路３００を有する点と、選択回路ＳＷ１を有していない点を除いて第１実施形態に係るＥＶＦ２０と同様の構成をしている。このため、第１実施形態と同様の構成については、同一の参照符号を付し、その説明は省略する。
【００３９】
プリチャージ回路３００は、画像表示領域Ａを挟んでデータ線駆動回路２００の反対側に配設され、タイミング制御回路８００から走査線駆動回路１００に供給されるＹ転送開始パルスＤＹおよびＹクロック信号ＹＣＫ、及び、タイミング制御回路８００からプリチャージ回路３００に供給される制御信号Ｃpreに基づいて各画素電極６にプリチャージ電圧Ｖpreを印加する。プリチャージ電圧Ｖpreは、ビデオセンター電圧Ｄrefと同じく、画素電極６とその対向電極との電位差がゼロとなる電圧に設定される。
図９は、本実施形態に係る垂直同期信号の供給タイミングを説明するためのタイミングチャート（オンシーケンスの場合）である。図示のように、表示制御信号ＣdiがＬレベルからＨレベルに切り替わり（t1）、液晶パネルＡＡの電源立上げ期間が終了すると（t2）、制御回路６００の制御のもと、制御信号ＣpreがＨレベルに切り替わる。上記第１実施形態と同様に、初期化期間においては内部垂直同期信号Ｖs2が生成されて、選択回路ＳＷ２を介してパネル出力用信号Ｖs3としてタイミング制御回路８００に供給される。本実施形態では、制御信号ＣpreがＨレベルの間、内部垂直同期信号Ｖs2に基づいて、プリチャージ回路３００から各画素電極６に対してプリチャージ電圧Ｖpreが印加される。
制御信号ＣpreがＨレベルの期間、データ線駆動回路２００の出力端子はハイインピーダンスとなる。当該期間は、プリチャージ回路３００から全てのデータ線３にプリチャージ電圧Ｖpreが供給される。
図示は省略するが、オフシーケンスの場合においても、初期化期間（図７におけるt5〜t6の期間）においては、制御信号ＣpreがＨレベルとなり、内部垂直同期信号Ｖs2に基づいて、プリチャージ回路３００から各画素電極６に対してプリチャージ電圧Ｖpreが印加される。
本実施形態によれば、上記第１実施形態と同様の効果が得られる。
【００４０】
＜変形例＞
本発明は、上述した実施形態に限定されるものではなく、以下に述べる各種の変形が可能である。また、各実施形態と各変形例を適宜組み合わせてもよい。
（１）上述した実施形態では、ある１行の走査線２に対応する画素に、階調に応じた電圧を、１列〜ｎ列のデータ信号を順番にサンプリングすることによって、当該行の画素を１列からｎ列まで順に書き込むという、いわゆる点順次の構成としたが、データ信号を時間軸にｒ（ｒは２以上の整数）倍に伸長するとともに、ｒ本の画像信号線に供給する、いわゆる相展開（シリアル−パラレル変換ともいう）駆動を併用した構成としてもよいし、すべてのデータ線３に対しデータ信号を一括して供給する、いわゆる線順次の構成としても良い。
【００４１】
（２）上述した実施形態及び変形例では、内部垂直同期信号Ｖs2の周波数が一定の場合について説明したが、可変としてもよい。例えば、オンシーケンスにおける初期化期間では、内部垂直同期信号Ｖs2の周波数を外部垂直同期信号Ｖs1の周波数に近づけるように単調減少させてもよく、オフシーケンスにおいては、画像の表示が終了した後に、内部垂直同期信号Ｖs2の周波数を外部垂直同期信号Ｖs1の周波数に近いものから単調増加させてもよい。あるいは、内部垂直同期信号Ｖs2の周波数を規則にしたがって増減させてもよい。本態様によれば、初期化期間において、所定の電圧の水平走査期間をフィールドごとに相違させるので、相対的に長い水平走査期間においては確実に所定の電圧が印加される一方で、短い水平走査期間を設けることで初期化処理に要する時間が短縮される。
【００４２】
（３）また、上記実施形態では、撮像装置の一例としてデジタルカメラについて説明したほか、ＥＶＦを備えたビデオカメラ、ヘッドマウントディスプレイ、双眼鏡などが挙げられる。これら各種の撮像装置に対して、本発明に係る駆動制御装置が適用可能なのは言うまでもない。
【００４３】
（４）また、実施形態及び変形例では、液晶パネルＡＡを用いることを前提としたが、本発明はこれに限定されるものではなく、電源オンから画像表示までの間、又は画像表示の終了から電源オフまでの間に、初期化処理を行うことが好ましい表示パネルに適用可能である。例えば、電気エネルギーによって光学特性が変化する電気光学物質として有機ＥＬ（Electroluminescence）を用いた有機ＥＬパネルであってもよい。
有機ＥＬパネルの画素は、有機ＥＬ素子と当該有機ＥＬ素子に電流を供給する駆動トランジスタを備える。有機ＥＬ素子に流れる電流は、駆動トランジスタのゲート電圧によって定まる。このため、初期化処理においてゲート電圧を所定電圧に設定することが好ましい。
すなわち、本発明は、液晶パネルＡＡや有機ＥＬパネルなどのように電気光学物質を備えた電気光学パネルに適用することができる。
【符号の説明】
【００４４】
１…デジタルカメラ（撮像装置）、２…走査線、３…データ線、６…画素電極、１４…センサ、１５…ＣＰＵ（外部垂直同期信号供給部）、２０…ＥＶＦ、１００…走査線駆動回路、２００…データ線駆動回路、３００…プリチャージ回路、５００…内部同期信号生成回路（内部垂直同期信号供給部）、６００…制御回路（制御部）、７００…電源生成回路（電源供給部）、８００…タイミング制御回路、９００…Ｄ／Ａ変換器、３００…プリチャージ回路、３１０…フォトダイオード、３２０…キャパシタ、３３０…スイッチング素子、ＡＡ…液晶パネル、Ｃdi…表示制御信号、Ｄ…駆動制御装置、Ｄref…ビデオセンター電圧（所定の電圧）、Ｐ１…画素回路、ＳＷ１，ＳＷ２，ＳＷ３…選択回路、Ｖs1…外部垂直同期信号、Ｖs2…内部垂直同期信号。
【図１】
2015036772.tif 000003
【図２】
2015036772.tif 000004
【図３】
2015036772.tif 000005
【図４】
2015036772.tif 000006
【図５】
2015036772.tif 000007
【図６】
2015036772.tif 000008
【図７】
2015036772.tif 000009
【図８】
2015036772.tif 000010
【図９】
2015036772.tif 000011